(57)【特許請求の範囲】
【請求項１】
親局ファクシミリ装置から子局ファクシミリ装置に中継同報通信により通信文をファクシミリ送信すると、前記子局ファクシミリ装置が自動的に１つ以上の孫局ファクシミリ装置に同一の通信文をファクシミリ送信するファクシミリ装置の中継同報通信システムにおいて、
前記親局ファクシミリ装置は、子局ファクシミリ装置及び孫局ファクシミリ装置のダイヤル番号を入力するダイヤル入力手段と、このダイヤル入力手段により最初に入力されたダイヤル番号を子局ファクシミリ装置のダイヤル番号として記憶する子局ダイヤルメモリと、前記ダイヤル入力手段により２番目以降に入力されたダイヤル番号を孫局ファクシミリ装置のダイヤル番号として記憶する孫局ダイヤルメモリと、前記子局ダイヤルメモリに記憶されたダイヤル番号にダイヤルして子局ファクシミリ装置との回線が接続されると前記孫局ダイヤルメモリに記憶された全てのダイヤル番号を孫局ファクシミリ装置のダイヤル番号リストデータとして送信する孫局リスト送信手段とを具備し、
前記子局ファクシミリ装置は、前記親局ファクシミリ装置から送信される前記孫局ファクシミリ装置のダイヤル番号リストデータを記憶する孫局ダイヤル記憶手段と、中継同報通信により受信した通信文を一時記憶する通信文記憶手段と、前記親局ファクシミリ装置から中継同報通信により通信文を受信すると前記孫局ダイヤル記憶手段により記憶したダイヤル番号リストデータから順に全てのダイヤル番号を読出し自動ダイヤルする自動ダイヤル手段と、この自動ダイヤル手段によりダイヤルした前記孫局ファクシミリ装置との回線が接続されると前記通信文記憶手段により記憶した通信文を前記孫局ファクシミリ装置にファクシミリ送信する通信文中継処理手段とを具備したことを特徴とするファクシミリ装置の中継同報通信システム。
【請求項２】
前記親局ファクシミリ装置におけるダイヤル入力手段は、短縮ダイヤル番号別に各局のダイヤル番号を予め記憶した短縮ダイヤルテーブルを利用し、短縮ダイヤル入力手段により最初に入力された短縮ダイヤル番号に対応したダイヤル番号を子局ファクシミリ装置のダイヤル番号として前記短縮ダイヤルテーブルから読出し、２番目以降に入力された短縮ダイヤル番号を孫局ファクシミリ装置のダイヤル番号として前記短縮ダイヤルテーブルから読出す手段であることを特徴とする請求項１記載のファクシミリ装置の中継同報通信システム。
【請求項３】
親局ファクシミリ装置から子局ファクシミリ装置に中継同報通信により通信文をファクシミリ送信すると、前記子局ファクシミリ装置が自動的に１つ以上の孫局ファクシミリ装置に同一の通信文をファクシミリ送信するファクシミリ装置の中継同報通信システムにおいて、
前記親局ファクシミリ装置は、子局ファクシミリ装置及び孫局ファクシミリ装置のダイヤル番号を入力するダイヤル入力手段と、このダイヤル入力手段により最初に入力されたダイヤル番号を子局ファクシミリ装置のダイヤル番号として記憶する子局ダイヤルメモリと、前記ダイヤル入力手段により２番目以降に入力されたダイヤル番号を孫局ファクシミリ装置のダイヤル番号として記憶する孫局ダイヤルメモリと、前記子局ダイヤルメモリに記憶されたダイヤル番号にダイヤルして子局ファクシミリ装置との回線が接続されると前記孫局ダイヤルメモリに記憶された全てのダイヤル番号を孫局ファクシミリ装置のダイヤル番号リストデータとして送信する孫局リスト送信手段と、この孫局リスト送信手段によるダイヤル番号リストデータの送信に対して送信先の子局ファクシミリ装置から設定終了応答を受信すると通信文を中継同報通信により前記子局ファクシミリ装置に送信する中継同報送信処理手段を具備し、
前記子局ファクシミリ装置は、前記親局ファクシミリ装置から送信される前記孫局ファクシミリ装置のダイヤル番号リストデータを記憶する孫局ダイヤル記憶手段と、この孫局ダイヤル記憶手段により前記孫局ファクシミリ装置のダイヤル番号リストデータを記憶すると前記親局ファクシミリ装置に対して前記設定終了応答を送信する設定終了応答送信手段と、中継同報通信により受信した通信文を一時記憶する通信文記憶手段と、前記親局ファクシミリ装置から中継同報通信により通信文を受信すると前記孫局ダイヤル記憶手段により記憶したダイヤル番号リストデータから順に全てのダイヤル番号を読出し自動ダイヤルする自動ダイヤル手段と、この自動ダイヤル手段によりダイヤルした前記孫局ファクシミリ装置との回線が接続されると前記通信文記憶手段により記憶した通信文を前記孫局ファクシミリ装置にファクシミリ送信する通信文中継処理手段とを具備したことを特徴とするファクシミリ装置の中継同報通信システム。
【請求項４】
前記親局ファクシミリ装置は、前記ダイヤル入力手段により入力された子局ファクシミリ装置のダイヤル番号と孫局ファクシミリ装置のダイヤル番号とを対応させて固有のテーブル番号を付して記憶する中継同報送信テーブルと、前記テーブル番号の入力手段と、この入力手段により前記テーブル番号が入力されると前記中継同報送信テーブルからそのテーブル番号が付された子局ファクシミリ装置及び孫局ファクシミリ装置のダイヤル番号を読出すテーブル検索手段と、このテーブル検索手段により前記中継同報送信テーブルから読出した前記子局ファクシミリ装置のダイヤル番号を前記子局ダイヤルメモリに格納し、前記孫局ファクシミリ装置のダイヤル番号を前記孫局ダイヤルメモリに格納する手段とを具備したことを特徴とする請求項１または３記載のファクシミリ装置の中継同報通信システム。
【請求項５】
前記親局ファクシミリ装置は、前記中継同報送信テーブルの登録内容を出力するテーブル出力手段を具備したことを特徴とする請求項４記載のファクシミリ装置の中継同報通信システム。
【請求項６】
前記子局ファクシミリ装置は、前記自動ダイヤル手段により自動ダイヤルした孫局ファクシミリ装置との送信結果を前記ダイヤル番号リストデータ送信元の親局ファクシミリ装置に通知する送信結果通知手段を具備したことを特徴とする請求項１または３記載のファクシミリ装置の中継同報通信システム。
【請求項７】
前記子局ファクシミリ装置は、各短縮ダイヤル番号に対応して各局のダイヤル番号を登録する短縮ダイヤルテーブルと、前記孫局ダイヤル記憶手段により記憶した孫局ファクシミリ装置のダイヤル番号リストデータから読み出したダイヤル番号が前記短縮ダイヤルテーブルに登録されているか否かを判断し、登録されていない場合にはそのダイヤル番号を前記短縮ダイヤルテーブルの空いている短縮ダイヤル番号に自動設定する手段とを具備したことを特徴とする請求項１または３記載のファクシミリ装置の中継同報通信システム。
【発明の詳細な説明】
【０００１】
【発明の属する技術分野】
本発明は、ファクシミリ装置の中継同報通信システムに関する。
【０００２】
【従来の技術】
複数の相手先に同一内容の通信文をファクシミリ送信する同報通信機能を有したファクシミリ装置は、一般に、通信文を記憶するメモリと、同報の相手先を登録するメモリと、自動発信のためのダイヤル機能等を備えている。そして、操作パネルの入力操作により同報通信が指令されると、登録された同報相手先との回線を順に接続し、接続されるごとに記憶した通信文をファクシミリ送信するようになっていた。
【０００３】
このような同報通信機能を有したファクシミリ装置は、例えば関東地方と関西地方にそれぞれ本部を設けその配下に複数の支部を設けた企業体の各本部で使用される。すなわち、本部に設置されるファクシミリ装置として同報通信機能を有したものを使用し、同報相手先として配下の支部にそれぞれ設置されたファクシミリ装置のダイヤル番号を予め登録しておくことによって、ほぼ同時に配下の各支部に同じ内容の通信文を送達できるようになる。
【０００４】
ところで、上述したような企業体において、例えば関東地方から関西地方の各支部に同じ内容の通信文を送達する場合を考えると、関東地方のファクシミリ装置と関西地方の各支部のファクシミリ装置とを１回線ずつ接続して通信文をファクシミリ送信していたのでは通信料が高くなる。そこで、関東地方のファクシミリ装置が、先ず関西地方の本部のファクシミリ装置に通信文をファクシミリ送信し、この通信文を受信した関西地方の本部のファクシミリ装置が配下の各支部のファクシミリ装置に同一内容の通信文を同報通信によりファクシミリ送信する。こうすることによって、遠距離の通信は１回であり、残りは近距離の通信なので、通信料を節約できる。
【０００５】
このような送信方法を中継同報送信と称している。また、通信文送信元のファクシミリ装置を親局ファクシミリ装置と称し、この親局ファクシミリ装置から通信文を受信するファクシミリ装置を子局ファクシミリ装置と称し、このし局ファクシミリ装置から同報通信により通信文を受取るファクシミリ装置を孫局ファクシミリ装置と称している。
【０００６】
【発明が解決しようとする課題】
しかしながら、従来において中継同報送信を行う場合には、子局ファクシミリ装置のユーザが子局ファクシミリ装置に予め孫局ファクシミリ装置のダイヤル番号を登録しておかなければならなかった。このため、子局ファクシミリ装置に孫局ファクシミリ装置が登録されていない場合には、一般に子局ファクシミリ装置と親局ファクシミリ装置の設置場所が遠く離れているので、親局ファクシミリ装置のユーザが子局ファクシミリ装置のユーザに電話などを利用して孫局ファクシミリ装置のダイヤル番号を登録してもらわなければならず、煩雑である上、子局ファクシミリ装置のユーザが不在である等の理由から速やかに対応できない場合があった。
【０００７】
本発明はこのような事情に基づいてなされたものであり、その目的とするところは、子局ファクシミリ装置に前もって孫局ファクシミリ装置のダイヤル番号を登録しなくても中継同報通信を実現できるファクシミリ装置の中継同報通信システムを提供しようとするものである。
【０００８】
【課題を解決するための手段】
本願請求項１記載の発明は、親局ファクシミリ装置に、子局ファクシミリ装置及び孫局ファクシミリ装置のダイヤル番号を入力するダイヤル入力手段と、このダイヤル入力手段により入力された子局ファクシミリ装置のダイヤル番号を記憶する子局ダイヤルメモリと、ダイヤル入力手段により入力された孫局ファクシミリ装置のダイヤル番号を記憶する孫局ダイヤルメモリと、子局ダイヤルメモリに記憶されたダイヤル番号にダイヤルして子局ファクシミリ装置との回線が接続されると孫局ダイヤルメモリに記憶された全てのダイヤル番号を孫局ファクシミリ装置のダイヤル番号リストデータとして送信する孫局リスト送信手段とを設ける。また、子局ファクシミリ装置に、親局ファクシミリ装置から送信される孫局ファクシミリ装置のダイヤル番号リストデータを記憶する孫局ダイヤル記憶手段と、中継同報通信により受信した通信文を一時記憶する通信文記憶手段と、親局ファクシミリ装置から中継同報通信により通信文を受信すると孫局ダイヤル記憶手段により記憶したダイヤル番号リストデータから順にダイヤル番号を読出し自動ダイヤルする自動ダイヤル手段と、この自動ダイヤル手段によりダイヤルした孫局ファクシミリ装置との回線が接続されると通信文記憶手段により記憶した通信文を孫局ファクシミリ装置にファクシミリ送信する通信文中継処理手段とを設けたものである。
こうすることにより、親局ファクシミリ装置から子局ファクシミリ装置に任意の孫局ファクシミリ装置のダイヤル番号を自動的に登録できるようになる。
【０００９】
なお、本願請求項２記載の発明のように、親局ファクシミリ装置のダイヤル入力手段として、短縮ダイヤル番号別に各局のダイヤル番号を予め記憶した短縮ダイヤルテーブルを利用し、短縮ダイヤル入力手段により最初に入力された短縮ダイヤル番号に対応したダイヤル番号を子局ファクシミリ装置のダイヤル番号として短縮ダイヤルテーブルから読出し、２番目以降に入力された短縮ダイヤル番号を孫局ファクシミリ装置のダイヤル番号として短縮ダイヤルテーブルから読出すようにすると、ダイヤル番号の入力操作を簡易化でき、便利である。
【００１０】
また、本願請求項３記載の発明は、本願請求項１記載の発明の各手段に加えて、親局ファクシミリ装置に、孫局リスト送信手段によるダイヤル番号リストデータの送信に対して送信先の子局ファクシミリ装置から設定終了応答を受信すると通信文を中継同報通信により子局ファクシミリ装置に送信する中継同報送信処理手段を設け、かつ子局ファクシミリ装置に、孫局ダイヤル記憶手段により孫局ファクシミリ装置のダイヤル番号リストデータを記憶すると親局ファクシミリ装置に対して設定終了応答を送信する設定終了応答送信手段を設けたものである。
こうすることにより、親局ファクシミリ装置から子局ファクシミリ装置に任意の孫局ファクシミリ装置のダイヤル番号を自動的に登録できるとともに、子局ファクシミリ装置に任意の孫局ファクシミリ装置のダイヤル番号が登録されたことに応じて、自動的に親局ファクシミリ装置から中継同報通信により同一内容の通信文をその子局ファクシミリ装置及び孫局ファクシミリ装置に送信できるようになる。
【００１１】
なお、本願請求項４記載の発明にように、本願請求項１または３記載の各発明において、親局ファクシミリ装置に、ダイヤル入力手段により入力された子局ファクシミリ装置のダイヤル番号と孫局ファクシミリ装置のダイヤル番号とを対応させて固有の識別コードを付して記憶する中継同報送信テーブルと、識別コードの入力手段と、この入力手段により識別コードが入力されると中継同報送信テーブルからその識別コードが付された子局ファクシミリ装置及び孫局ファクシミリ装置のダイヤル番号を読出すテーブル検索手段とを設け、このテーブル検索手段により中継同報送信テーブルから読出した子局ファクシミリ装置にダイヤルし、回線が接続されると中継同報送信テーブルから読出した孫局ファクシミリ装置のダイヤル番号リストデータを送信する機能を付加することによって、子局及び孫局のダイヤル番号として同一番号を再入力する面倒がなくなり、より便利である。
この場合において、本願請求項５記載の発明にように、親局ファクシミリ装置に中継同報送信テーブルの登録内容を出力するテーブル出力手段を設けると、中継同報送信テーブルの登録内容を容易に知り得、好都合である。
【００１２】
また、本願請求項６記載の発明のように、本願請求項１または３記載の発明において、子局ファクシミリ装置に、自動ダイヤル手段により自動ダイヤルした孫局ファクシミリ装置との送信結果をダイヤル番号リストデータ送信元の親局ファクシミリ装置に通知する送信結果通知手段を設けることによって、親局のユーザは孫局までの通信結果を容易に確認できるようになる。
【００１３】
さらに、本願請求項７記載の発明のように、本願請求項１または３記載の発明において、子局ファクシミリ装置に、孫局ダイヤル記憶手段により記憶した孫局ファクシミリ装置のダイヤル番号リストデータから短縮ダイヤルテーブルに未登録のダイヤル番号を抽出し、そのダイヤル番号を短縮ダイヤルテーブルの空いている短縮ダイヤル番号に自動設定する機能を設けることによって、子局ファクシミリ装置のユーザが孫局ファクシミリ装置のダイヤル番号を短縮ダイヤルテーブルに設定する作業を不要にできる。
【００１４】
【発明の実施の形態】
以下、本発明の一実施の形態を図面を用いて説明する。
なお、この実施の形態では、図１に示すように、電話網やＩＳＤＮ（サービス総合ディジタル網）等の公衆網Ｐによってネットワークが構築される３つの地域Ａ，Ｂ，Ｃにそれぞれ本部と支部が所在する１つの企業体において、各地域Ａ，Ｂ，Ｃ毎に本部のファクシミリ装置を中継同報通信機能を有するマスターファクシミリ装置Ｍ−ＦＡＸとし、各支部のファクシミリ装置を同一地域内のマスターファクシミリ装置Ｍ−ＦＡＸと同報通信が可能なサテライトファクシミリ装置Ｓ−ＦＡＸとしたファクシミリシステムに本発明を適用した場合について説明する。なお、各地域Ａ，Ｂ，Ｃのファクシミリ装置Ｍ−ＦＡＸ，Ｓ−ＦＡＸは、地域に拘らず個々にファクシミリ通信が可能であるのは言うまでもないことである。
【００１５】
図２は各地域Ａ，Ｂ，Ｃに所在するマスターファクシミリ装置Ｍ−ＦＡＸの要部構成を示す機能ブロック図であり、このファクシミリ装置Ｍ−ＦＡＸは、例えばマイクロコンピュータを搭載しファクシミリ装置としての一般的な制御を司る主制御部１の他、網制御部２，内蔵電話機３，モデム部４，テーブル記憶部５，メモリ部６，読取部７，記録部８，着信鳴動部９及び操作パネル部１０を有している。そして、前記主制御部１と、網制御部２，モデム部４，テーブル記憶部５，メモリ部６，読取部７，記録部８及び着信鳴動部９とを、バスライン１１で接続している。また、主制御部１と操作パネル部１０とを信号線１２で接続している。
【００１６】
網制御部２は、通信回線Ｃを伝送される信号とバスライン１０を伝送される信号とのインタフェースをとる機能と、通信回線Ｃの接続先を内部電話機３とモデム部４とで切換える機能とを有するもので、ＦＡＸ／ＴＥＬ切換スイッチ２１，スイッチ制御インタフェース部２２，ファクシミリ信号トランス部２３及び呼出信号検知部２４で構成している。
【００１７】
ＦＡＸ／ＴＥＬ切換スイッチ２１は、通信回線Ｃをファクシミリ信号トランス部２３に接続するか内蔵電話機３に接続するかを切換えるスイッチであって、スイッチ制御インタフェース部２２からの信号により切換制御される。スイッチ制御インタフェース部２２は、主制御部１からバスライン１１を介して与えられる制御データに基づいてスイッチ制御信号を生成し、ＦＡＸ／ＴＥＬ切換スイッチ２１に与える。
【００１８】
ファクシミリ信号トランス部２３は、通信回線Ｃを介して送られてくるファクシミリ伝送信号を取込み、モデム部４に与えるものである。
呼出信号検出部２４は、ＦＡＸ／ＴＥＬ切換スイッチ２１が内蔵電話機３側に接続されるとき通信回線Ｃに接続されるように設けられており、公衆網Ｐ側から着信を通知すべく送られてくる呼出信号の検出を行う。
【００１９】
内蔵電話機３は、例えば送受話器や通話回路などを有した周知の構成のものであって、音声通話において使用する。
モデム部４は、通信回線Ｃを介して送られてくるファクシミリ伝送信号を復調してファクシミリデータを再生し、これをバスライン１１へ出力する機能と、バスライン１１を介して与えられるファクシミリデータを変調してファクシミリ伝送信号に変換し、これを網制御部２を介して通信回線Ｃへ出力する機能とを有する。
【００２０】
テーブル記憶部５は、特に、図３に示すように、当該ファクシミリ装置が設定可能な一連の短縮ダイヤル番号に対応して相手先の局名及びダイヤル番号を登録する短縮ダイヤルテーブル５１と、図４に示すように、中継同報通信を行う子局ファクシミリ装置（１台）のダイヤル番号と孫局ファクシミリ装置（Ｎ台：Ｎ≧１）のダイヤル番号とを対応させて固有の識別コードであるテーブル番号を付して登録する中継同報送信テーブル５２とを記憶する。なお、短縮ダイヤルテーブル５１には、少なくとも他地域のマスターファクシミリ装置Ｍ−ＦＡＸのダイヤル番号を登録しておく。また、他地域のサテライトファクシミリ装置Ｓ−ＦＡＸのダイヤル番号もなるべく多く登録しておくとよい。
【００２１】
メモリ部６は、送信履歴情報及び受信履歴情報を蓄積記憶するとともに、機能を特定するパラメータや状態を示すステータスなどを記憶する。また、図５に示すように、ファクシミリ送信対象の通信文をイメージデータとして記憶する通信文メモリ６１、後述する中継同報送信処理で使用する子局ダイヤルメモリ６２及び孫局ダイヤルメモリ６３、及び後述する中継同報受信処理で使用する孫局ダイヤルリストメモリ６４などを有している。孫局ダイヤルリストメモリ６４は、親局ダイヤル番号を記憶するエリアと、複数の孫局ダイヤル番号及びその孫局ダイヤル番号の孫局ファクシミリ装置に対する送信結果情報を記憶するエリアとを形成したものである。
【００２２】
読取部７は、送信原稿を読取ってファクシミリデータの通信文を生成するものである。
記録部８は、通信回線Ｃを介して送られてくるファクシミリ伝送信号がモデム部４にて再生されたファクシミリデータに対応する画像を記録用紙に記録するものである。
【００２３】
着信鳴動部９は、主制御部１の制御の下に、ユーザに対して着信検知を行うための所定の着信音を鳴動する。
操作パネル部１０は、ユーザに対して各種の情報表示を行う液晶ディスプレイ（ＬＣＤ）１３と、ユーザが主制御部１に対して各種の指示入力を行うためのキー群１４とを有する。キー群１４は、短縮ダイヤル番号を個々に割当てた複数のワンタッチダイヤルキー、短縮ダイヤル番号の入力宣言キー、ダイヤル番号を置数するテンキーなどの他、中継同報送信モードの宣言キー、テーブル番号の入力宣言キー、送信キーを含む。
【００２４】
しかして、主制御部１は、キー群１４の中継同報送信モード宣言キーが押下されると、図６の流れ図に示す中継同報送信処理を実行する。
先ず、中継同報送信テーブル５２のテーブル番号が入力されるか（ＳＴ１）、ダイヤル番号が入力されるのを待機する（ＳＴ２）。
【００２５】
ここで、ダイヤル入力手段としてキー群１４のワンタッチダイヤルキーまたは短縮ダイヤル番号の入力宣言キーとテンキーとによって最初の短縮ダイヤル番号が入力された場合には（ＳＴ２のＹＥＳ）、短縮ダイヤルテーブル５１からその短縮ダイヤル番号に対応するダイヤル番号を読出し、子局ダイヤルメモリ６２に格納する（ＳＴ３）。次いで、２つ目の短縮ダイヤル番号が入力された場合には（ＳＴ４のＹＥＳ）、短縮ダイヤルテーブル５１からその短縮ダイヤル番号に対応するダイヤル番号を読出し、孫局ダイヤルメモリ６３に格納する（ＳＴ５）。その後、３つ目以降の短縮ダイヤル番号が入力された場合も、同様に短縮ダイヤルテーブル５１からその短縮ダイヤル番号に対応するダイヤル番号を読出し、孫局ダイヤルメモリ６３に順次格納する。なお、ＳＴ２またはＳＴ４において、テンキーにより直接ダイヤル番号が置数された場合には、そのダイヤル番号を子局ダイヤルメモリ６２または孫局ダイヤルメモリ６３に直接格納する。
【００２６】
こうして、ダイヤル入力手段により中継同報送信を行う子局ファクシミリ装置及び孫局ファクシミリ装置のダイヤル番号が入力されたのに続いて、キー群１４の送信キーが入力されると（ＳＴ６のＹＥＳ）、自動ダイヤル機能により子局ダイヤルメモリ６２に記憶したダイヤル番号に発呼する（ＳＴ７）。その結果、相手局との回線が接続されると（ＳＴ８のＹＥＳ）、先ず、相手局に中継同報送信要求信号を送信する（ＳＴ９）。次に、相手局から許諾応答信号を受信した場合には（ＳＴ１０のＹＥＳ）、主制御部１は孫局リスト送信手段を機能させる。すなわち、孫局ダイヤルメモリ６３に記憶しているすべてのダイヤル番号を孫局ダイヤル番号として読出し、自局に設定されたダイヤル番号を親局ダイヤル番号として付加して孫局ダイヤルリストデータを作成する。そして、この孫局ダイヤルリストデータをモデム部４を介して相手局にファクシミリ送信する（ＳＴ１１）。
【００２７】
なお、孫局ダイヤルリストデータを相手局にファクシミリ送信する通信手順は、本出願人による特開平８−１３０６００号公報に記載された「メモリ部６の登録データを公衆網を利用して他のファクシミリ装置のメモリ部に転送する」技術を用いれば可能であり、ここでの詳細な説明は省く。
【００２８】
さて、孫局ダイヤルリストデータを送信後、相手局から設定終了応答信号を受信すると（ＳＴ１２）、主制御部１は中継同報送信処理手段を機能させる。すなわち、読取部７を駆動して送信原稿を読取り、ファクシミリデータからなる通信文を生成する。そして、この通信文をモデム部４を介して回線接続された相手局にファクシミリ送信する（ＳＴ１３）。こうして、通信文の送信が正常に完了すると（ＳＴ１４のＹＥＳ）、回線を切断する（ＳＴ１５）。
【００２９】
その後、中継同報送信テーブル５２の空いているテーブル番号の子局ダイヤル番号エリアに子局ダイヤルメモリ６２内のダイヤル番号を転送して登録し、同テーブル番号の孫局ダイヤル番号エリアに孫局ダイヤルメモリ６３内のすべてのダイヤル番号を転送して登録する（ＳＴ１６）。
【００３０】
しかる後、主記憶部１はテーブル出力手段を機能させる。すなわち、中継同報通信テーブル５２に今回登録した子局ダイヤル番号及び孫局ダイヤル番号と、対応するテーブル番号とを示す中継同報送信設定票Ｇ１（図８を参照）の画像データを作成し、記録部８を駆動して記録用紙に印刷する（ＳＴ１７）。なお、中継同報送信設定票Ｇ１において子局名及び孫局名は、短縮ダイヤルテーブル５１に登録された該当ダイヤル番号の局名を用いればよい。
【００３１】
一方、中継同報送信モード宣言キーの押下後、ダイヤル番号が入力される前に、識別コードの入力手段としてテーブル番号の入力宣言キーとテンキーとによって中継同報送信テーブル５２のテーブル番号が入力された場合には（ＳＴ１のＹＥＳ）、主記憶部１はテーブル検索手段を機能させる。すなわち、その入力テーブル番号で中継同報送信テーブル５２を検索する（ＳＴ１８）。そして、入力テーブル番号のエリアに子局及び孫局のダイヤル番号が登録されていることを確認すると（ＳＴ１９のＹＥＳ）、その子局ダイヤル番号及び孫局ダイヤル番号を中継同報送信テーブル５２から読出して、子局ダイヤル番号は子局ダイヤルメモリ６２に格納し、孫局ダイヤル番号は孫局ダイヤルメモリ６３に格納する（ＳＴ２０）。
以後、前述したＳＴ７〜ＳＴ１７の処理を実行する。
【００３２】
なお、ＳＴ７にて子局ダイヤルメモリ６２のダイヤル番号に発呼したが回線が接続されなかった場合（ＳＴ８のＮＯ）、ＳＴ９にて回線接続された相手局に中継同報送信要求信号を送信したが許諾応答信号を受信できなかった場合（ＳＴ１０のＮＯ）、ＳＴ１１にて相手局に孫局ダイヤルリストデータをファクシミリ送信したが設定終了応答信号を受信できなかった場合（ＳＴ１２のＮＯ）、ＳＴ１３にて相手局に通信文をファクシミリ送信したが途中で異常終了した場合（ＳＴ１４のＮＯ）、及びＳＴ１８にて中継同報送信テーブル５２を検索したが該当するテーブル番号にダイヤル番号が登録されていなかった場合（ＳＴ１９のＮＯ）には、エラーとする。
【００３３】
ここに、マスターファクシミリ装置Ｍ−ＦＡＸは、中継同報通信において親局ファクシミリ装置として機能する。
また、主制御部１は、回線接続された他のマスターファクシミリ装置から発信される前記中継同報送信要求信号を受信すると、図７の流れ図に示す中継同報受信処理を実行する。
【００３４】
先ず、中継同報送信要求信号を正常に受信したことに応じて、信号送信元の相手局に許諾応答信号を送信する（ＳＴ２１）。次に、孫局ダイヤルリストデータの受信を待機する（ＳＴ２２）。そして、孫局ダイヤルリストデータをモデム部４を介してファクシミリ受信したならば、主記憶部１は孫局ダイヤル記憶手段を機能させる。すなわち、受信した孫局ダイヤルリストデータを解析し、親局ダイヤル番号と孫局ダイヤル番号とをそれぞれ孫局ダイヤルリストメモリ６４の該当するエリアに格納する（ＳＴ２３）。
【００３５】
こうして、孫局ダイヤルリストメモリ６４に受信データを正常に展開できたならば、主制御部１は設定終了応答送信手段を機能させる。すなわち、送信元の相手局に設定終了応答信号を送信する（ＳＴ２４）。
【００３６】
次に、通信文が送られてくるのを待機する（ＳＴ２５）。そして、モデム部４を介して通信文をファクシミリ受信すると、主記憶部１は通信文記憶手段を機能させる。すなわち、受信した通信文を通信文メモリ６１に格納する。また、記録部８を駆動して通信文を記録用紙に印刷する（ＳＴ２６）。
【００３７】
その後、通信文の受信が完了し相手局との回線が切断されると（ＳＴ２７のＹＥＳ）、孫局ダイヤルリストメモリ６４から登録順に孫局ダイヤル番号を１つずつ読出し、その都度、以下のＳＴ２８〜ＳＴ３５の処理を行う。
先ず、主制御部１は自動ダイヤル手段を機能させる。すなわち、孫局ダイヤルリストメモリ６４から読出したダイヤル番号に自動発呼する（ＳＴ２８）。そして、相手局との回線が接続されたならば（ＳＴ２９のＹＥＳ）、主制御部１は通信文中継処理手段を機能させる。すなわち、通信文メモリ６１に記憶している通信文を回線接続された相手局にファクシミリ送信する（ＳＴ３０）。そして、通信文の送信が正常に完了すると（ＳＴ３１のＹＥＳ）、孫局ダイヤルリストメモリ６４の回線接続した孫局ダイヤル番号に対応した送信結果情報エリアに正常終了を示す情報を書込み（ＳＴ３２）、回線を切断する（ＳＴ３３）。なお、通信文の送信が途中で異常終了した場合には（ＳＴ３１のＮＯ）、送信結果情報エリアに送信エラーを示す情報を書込み（ＳＴ３４）、回線を切断する（ＳＴ３３）。また、ＳＴ２８にて孫局ダイヤル番号に発呼したが回線が接続されなかった場合には（ＳＴ２９のＮＯ）、送信結果情報エリアに接続エラーを示す情報を書込む（ＳＴ３５）。
【００３８】
こうして、孫局ダイヤルリストメモリ６４に格納したすべての孫局ダイヤル番号を読出し、順に発呼して上記処理を終えたならば（ＳＴ３６のＹＥＳ）、主制御部１は送信結果通知手段を機能させる。すなわち、孫局ダイヤルリストメモリ６４に格納した親局ダイヤル番号を読出し、自動ダイヤル機能によりそのダイヤル番号に発呼する。そして、回線が接続されたならば、孫局ダイヤルリストメモリ６４の孫局ダイヤル番号及び送信結果情報に基づいて中継同報送信結果票Ｇ２（図９を参照）の画像データを作成し、この画像データをモデム部４を介して相手局にファクシミリ送信する（ＳＴ３７）。なお、中継同報送信結果票Ｇ２において子局名及び孫局名は、短縮ダイヤルテーブル５１に登録された該当ダイヤル番号の局名を用いればよい。なお、短縮ダイヤルテーブル５１に孫局のダイヤル番号が登録されていない場合には、短縮ダイヤルテーブル５１に空いているエリアにその未登録の孫局ダイヤル番号を自動的に登録する。この場合、中継同報送信結果票Ｇ２の孫局名は空欄となる。
【００３９】
しかる後、孫局ダイヤルメモリ６４及び通信文メモリ６１をクリアしたならば（ＳＴ３８）、この中継同報受信処理を終了する。
ここに、マスターファクシミリ装置Ｍ−ＦＡＸは、中継同報通信において子局ファクシミリ装置として機能する。
【００４０】
一方、サテライトファクシミリ装置Ｓ−ＦＡＸは、図２に示す構成要件からテーブル記憶部５の中継同報送信テーブル５２を除いたものに等しく、中継同報通信において孫局ファクシミリ装置として機能する。
【００４１】
今、地域Ａの本部から地域Ｂの本部及び同地域Ｂの４つの支部に同一通信文をファクシミリ送信する場合を考える。この場合、地域Ａの本部に設置されたマスターファクシミリ装置Ｍ−ＦＡＸ（局名をＡＭ０とする）を親局ファクシミリ装置とし、地域Ｂの本部に設置されたマスターファクシミリ装置Ｍ−ＦＡＸ（局名をＢＭ０とする）を子局ファクシミリ装置とし、地域Ｂの４支部にそれぞれ設置されたサテライトファクシミリ装置Ｓ−ＦＡＸ（局名をＢＳ１，ＢＳ２，ＢＳ３，ＢＳ４とする）を孫局ファクシミリ装置とする中継同報通信を利用すればよい。
【００４２】
そこで先ず、地域Ａの本部オペレータはマスターファクシミリ装置Ｍ−ＦＡＸ（局名ＡＭ０）の読取部７に送信原稿をセットするとともに、キー群１４の中継同報送信モード宣言キーを押下する。次に、同オペレータはキー群１４を操作して、地域Ｂの本部に設置されているマスターファクシミリ装置Ｍ−ＦＡＸ（局名ＢＭ０）のダイヤル番号を入力する。この場合において、当該マスターファクシミリ装置Ｍ−ＦＡＸ（局名ＢＭ０）のダイヤル番号が短縮ダイヤルテーブル５１に登録されている場合にはワンタッチキーまたは短縮ダイヤル番号の入力宣言キーとテンキーとによってその短縮ダイヤル番号を入力する。こうして、マスターファクシミリ装置Ｍ−ＦＡＸ（局名ＢＭ０）のダイヤル番号が入力されると、このダイヤル番号が子局ダイヤルメモリ６２に格納される。
【００４３】
次に、同オペレータはキー群１４を操作して地域Ｂの各支部にそれぞれ設置されているサテライトファクシミリ装置Ｓ−ＦＡＸ（局名ＢＳ１，ＢＳ２，ＢＳ３，ＢＳ４）のダイヤル番号を入力する。この場合も、短縮ダイヤルテーブル５１に登録されている場合にはその短縮ダイヤル番号を入力すればよい。こうして、各サテライトファクシミリ装置Ｍ−ＦＡＸ（局名ＢＳ１，ＢＳ２，ＢＳ３，ＢＳ４）のダイヤル番号が入力されると、これらのダイヤル番号が孫局ダイヤルメモリ６３に格納される。
【００４４】
次に、同オペレータは送信キーを押下する。そうすると、子局ダイヤルメモリ６２に格納されているダイヤル番号，すなわち地域Ｂのマスターファクシミリ装置Ｍ−ＦＡＸ（局名ＢＭ０）に自動ダイヤルされ、回線が接続されると、中継同報送信要求信号が送信される。これに応じて許諾応答信号が返信されると、自ファクシミリ装置（局名ＡＭ０）のダイヤル番号を親局ダイヤル番号とするとともに、孫局ダイヤルメモリ６３内の各ダイヤル番号，すなわち地域Ｂの各サテライトファクシミリ装置Ｓ−ＦＡＸ（局名ＢＳ１，ＢＳ２，ＢＳ３，ＢＳ４）のダイヤル番号を孫局ダイヤル番号とする孫局ダイヤルリストのデータが地域Ｂのマスターファクシミリ装置Ｍ−ＦＡＸ（局名ＢＭ０）に送信される。
【００４５】
これにより、地域Ｂのマスターファクシミリ装置Ｍ−ＦＡＸ（局名ＢＭ０）の孫局ダイヤルリストメモリ６４には、親局ダイヤル番号として地域Ａのマスターファクシミリ装置Ｍ−ＦＡＸ（局名ＡＭ０）のダイヤル番号が格納され、孫局ダイヤル番号として地域Ｂの各サテライトファクシミリ装置Ｓ−ＦＡＸ（局名ＢＳ１，ＢＳ２，ＢＳ３，ＢＳ４）のダイヤル番号が格納される。
【００４６】
その後、地域Ａのマスターファクシミリ装置Ｍ−ＦＡＸ（局名ＡＭ０）においては、地域Ｂのマスターファクシミリ装置Ｍ−ＦＡＸ（局名ＢＭ０）から送信される設定終了応答信号を受けて読取部７にセットされた送信原稿が読取られ、ファクシミリデータからなる通信文として地域Ｂのマスターファクシミリ装置Ｍ−ＦＡＸ（局名ＢＭ０）にファクシミリ送信される。
【００４７】
一方、地域Ｂのマスターファクシミリ装置Ｍ−ＦＡＸ（局名ＢＭ０）においては、地域Ａのマスターファクシミリ装置Ｍ−ＦＡＸ（局名ＡＭ０）より受信した通信文が通信文メモリ６１に記憶されるとともに、記録部８によって記録用紙に印刷出力される。しかる後、孫局ダイヤルリストメモリ６４に設定された各孫局ダイヤル番号に順次自動ダイヤルされ、回線が接続されると、通信文メモリ６１内の通信文がファクシミリ送信される。
【００４８】
これにより、地域Ｂの本部のマスターファクシミリ装置Ｍ−ＦＡＸ（局名ＢＭ０）から同地域Ｂの４つの支部のサテライトファクシミリ装置Ｓ−ＦＡＸ（局名ＢＳ１，ＢＳ２，ＢＳ３，ＢＳ４）に、地域Ａのマスターファクシミリ装置Ｍ−ＦＡＸ（局名ＡＭ０）から送信された通信文がそれぞれファクシミリ送信される。
【００４９】
したがって、本実施の形態によれば、子局ファクシミリ装置として機能する地域Ｂの本部のマスターファクシミリ装置Ｍ−ＦＡＸ（局名ＢＭ０）に前もって孫局ファクシミリ装置として機能する各サテライトファクシミリ装置Ｓ−ＦＡＸ（局名ＢＳ１，ＢＳ２，ＢＳ３，ＢＳ４）のダイヤル番号が登録されていなくても、親局ファクシミリ装置として機能する地域Ａの本部のマスターファクシミリ装置Ｍ−ＦＡＸ（局名ＡＭ０）から子局ファクシミリ装置［マスターファクシミリ装置Ｍ−ＦＡＸ（局名ＢＭ０）］を介して各孫局ファクシミリ装置［サテライトファクシミリ装置Ｓ−ＦＡＸ（局名ＢＳ１，ＢＳ２，ＢＳ３，ＢＳ４）］に同一通信文をファクシミリ送信する中継同報通信を実現できる。
【００５０】
ところで、親局ファクシミリ装置として機能するマスターファクシミリ装置Ｍ−ＦＡＸ（局名ＡＭ０）においては、子局ファクシミリ装置として機能するマスターファクシミリ装置Ｍ−ＦＡＸ（局名ＢＭ０）に通信文を送信した後、中継同報通信テーブル５２の空いているテーブル番号（便宜上「９９」とする）のエリアに、子局ダイヤル番号として地域Ｂのマスターファクシミリ装置Ｍ−ＦＡＸ（局名ＢＭ０）のダイヤル番号が登録され、かつ孫局ダイヤル番号として地域Ｂの各サテライトファクシミリ装置Ｓ−ＦＡＸ（局名ＢＳ１，ＢＳ２，ＢＳ３，ＢＳ４）のダイヤル番号が登録される。そして、この登録内容が中継同報送信設定票Ｇ１として記録部８より記録用紙に印刷され出力される。
【００５１】
したがって、地域Ａの本部オペレータは、この中継同報送信設定票Ｇ１を確認することによって、中継同報送信テーブル５２のテーブル番号「９９」のエリアに子局ダイヤル番号として地域Ｂのマスターファクシミリ装置Ｍ−ＦＡＸ（局名ＢＭ０）のダイヤル番号が登録され、孫局ダイヤル番号として地域Ｂの各サテライトファクシミリ装置Ｓ−ＦＡＸ（局名ＢＳ１，ＢＳ２，ＢＳ３，ＢＳ４）のダイヤル番号が登録されていることを容易に確認できる。
【００５２】
そして同オペレータは、後日に再び同様な中継同報送信を行う必要が生じると、子局及び孫局のダイヤル番号を入力せず、テーブル番号「９９」を入力する。こうすることにより、中継同報送信テーブル５２のテーブル番号「９９」のエリアに子局ダイヤル番号として登録されている地域Ｂのマスターファクシミリ装置Ｍ−ＦＡＸ（局名ＢＭ０）のダイヤル番号が子局ダイヤルメモリ６２に格納され、孫局ダイヤル番号として登録されている地域Ｂの各サテライトファクシミリ装置Ｓ−ＦＡＸ（局名ＢＳ１，ＢＳ２，ＢＳ３，ＢＳ４）のダイヤル番号がそれぞれ孫局ダイヤルメモリ６３に格納されて、前回と同様な中継同報通信が実行される。
【００５３】
したがって、過去に行った中継同報通信を再度実行する場合には、該当するテーブル番号のみを入力ればよく、子局及び孫局のダイヤル番号を入力する手間を省略できるので能率的である。また、ダイヤル番号の入力ミスも防止でき、間違った局に通信文が中継伝送されることもない。
【００５４】
また、子局ファクシミリ装置として機能するマスターファクシミリ装置Ｍ−ＦＡＸ（局名ＢＭ０）においては、孫局ファクシミリ装置として機能する各サテライトファクシミリ装置Ｓ−ＦＡＸ（局名ＢＳ１，ＢＳ２，ＢＳ３，ＢＳ４）に自動ダイヤルした後、各サテライトファクシミリ装置Ｓ−ＦＡＸ（局名ＢＳ１，ＢＳ２，ＢＳ３，ＢＳ４）との通信結果を示す中継同報送信結果リストのデータが親局ファクシミリ装置としてのマスターファクシミリ装置Ｍ−ＦＡＸ（局名ＡＭ０）に自動的に送信される。これにより、親局ファクシミリ装置としてのマスターファクシミリ装置Ｍ−ＦＡＸ（局名ＡＭ０）においては、この中継同報送信結果リストのデータが記録部８により記録用紙に印刷されて、中継同報送信結果票Ｇ２として出力されるものとなっている。
したがって、地域Ａの本部オペレータは、この中継同報送信結果票Ｇ２を確認することによって、中継同報通信の送信結果を確実に知ることができる。
【００５５】
また、子局ファクシミリ装置として機能するマスターファクシミリ装置Ｍ−ＦＡＸ（局名ＢＭ０）においては、中継同報送信結果リストのデータを親局ファクシミリ装置としてのマスターファクシミリ装置Ｍ−ＦＡＸ（局名ＡＭ０）に送信する際に、短縮ダイヤルテーブル５１にその孫局のダイヤル番号が登録されているか否かを判断し、登録されていない場合にはその未登録の孫局ダイヤル番号を短縮ダイヤルテーブル５１の空いているエリアに自動的に設定するようにしている。
一般に、子局となるファクシミリ装置と孫局となるファクシミリ装置は同一地域内なので中継同報通信にかかわらず頻繁にファクシミリ通信が行われる。このため、子局ファクシミリ装置として機能するマスターファクシミリ装置Ｍ−ＦＡＸのユーザにとっては、孫局ファクシミリ装置として機能する各サテライトファクシミリ装置Ｓ−ＦＡＸのダイヤル番号が短縮ダイヤルテーブルに設定されていることが望ましい。
本実施の形態によれば、子局ファクシミリ装置として機能するマスターファクシミリ装置Ｍ−ＦＡＸに孫局ファクシミリ装置として機能する各サテライトファクシミリ装置Ｓ−ＦＡＸのダイヤル番号を自動的に短縮ダイヤルテーブル５１に設定できるので、短縮ダイヤル番号の設定作業を軽減できる効果を奏する。
【００５６】
なお、本発明は前記一実施の形態に限定されるものではない。
例えば、前記一実施の形態では、親局ファクシミリ装置から子局ファクシミリ装置に任意の孫局ファクシミリ装置のダイヤル番号を登録した後、自動的に親局ファクシミリ装置から中継同報通信により同一内容の通信文をその子局ファクシミリ装置及び孫局ファクシミリ装置に送信したが、ダイヤル番号の登録処理と通信文の送信処理とを別処理として互いに独立させてもよい。この場合、子局ファクシミリ装置には親局ファクシミリ装置の作用によって任意の孫局ファクシミリ装置が前もって自動登録されるので、送信処理は従来と同様の中継同報通信機能で実現されるようになる。
【００５８】
また、中継同報送信テーブル５２の登録内容を出力するテーブル出力手段は、中継同報送信テーブル５２の全内容を印刷，表示，音声等によって出力する手段も含むものである。
この他、本発明の要旨を逸脱しない範囲で種々変形実施可能であるのは勿論である。
【００５９】
【発明の効果】
以上詳述したように、本発明によれば、子局ファクシミリ装置に前もって孫局ファクシミリ装置のダイヤル番号を登録しなくても中継同報通信を実現できるファクシミリ装置の中継同報通信システムを提供できる。
【図面の簡単な説明】
【図１】本発明の一実施の形態であるファクシミリシステムを説明するための該略図。
【図２】同実施の形態におけるマスターファクシミリ装置の要部構成を示すブロック図。
【図３】図２に示す短縮ダイヤルテーブル構成図。
【図４】図２に示す中継同報送信テーブルの構成図。
【図５】図２に示すメモリ部に設けられる主要なメモリエリアを示す図。
【図６】図２に示す主制御部が実行する中継同報送信処理の要部を示す流れ図。
【図７】図２に示す主制御部が実行する中継同報受信処理の要部を示す流れ図。
【図８】同実施の形態において親局ファクシミリ装置として機能するマスターファクシミリ装置から出力される中継同報送信設定票の一例を示す図。
【図９】同実施の形態において親局ファクシミリ装置として機能するマスターファクシミリ装置から出力される中継同報送信結果票の一例を示す図。
【符号の説明】
１…主制御部
２…網制御部
４…モデム部
１０…操作パネル部
５１…短縮ダイヤルテーブル
５２…中継同報送信テーブル
６１…通信文メモリ
６４…孫局ダイヤルリストメモリ
Ｇ１…中継同報送信設定票
Ｇ２…中継同報送信結果票
【図１】
0003554152.tif 000002
【図２】
0003554152.tif 000003
【図３】
0003554152.tif 000004
【図４】
0003554152.tif 000005
【図５】
0003554152.tif 000006
【図６】
0003554152.tif 000007
【図７】
0003554152.tif 000008
【図８】
0003554152.tif 000009
【図９】
0003554152.tif 000010